(57)【要約】【課題】  灯具の位置や角度を変える際の操作を簡単にするとともに、格納時に各灯具を折り畳んだ際に、外側に突き出る部分を小さくする。【解決手段】  照明装置は、台車に立設されている支柱２の上端部において、水平方向に回動可能に取り付けられているライト架台１０の両端部に、灯具ブラケット１１，１１が回動可能に取り付けられており、各灯具ブラケット１１，１１の両端部に、灯具１２が水平，垂直方向に回動可能となるように取り付けられている。灯具ブラケット１１−灯具１２間のブラケット連結部１６は、各部材間にポリオキシメチレン樹脂製の樹脂ワッシャーを介在させてボルト・ナットで締め付けることにより、ネジやレバ−の操作なしで灯具１２の角度が調整でき、その状態を保持できるようにする。灯具ブラケット１１は、二つの部材を連結して構成し、投光機の使用時には両部材を直線状に伸ばし、格納時には折曲させる。【選択図】        図２
2011081928.tif 000002
【特許請求の範囲】
【請求項１】
台車と、前記台車に搭載されている発電装置と、前記台車に伸縮自在に立設されている支柱と、前記支柱の上端部に取り付けられていて、前記発電装置より電力を受けて照明を行う照明装置とを備えた投光機であって、
前記照明装置は、前記支柱の上端部において、中間部が水平方向に回動可能に取り付けられているライト架台と、前記ライト架台の両端部に、ライト架台に対して直交するように、その中間部がライト架台の軸線を中心にして回動可能に取り付けられている灯具ブラケットと、前記各灯具ブラケットの両端部に、水平・垂直両方向に回動可能となるように取り付けられている灯具とを備え、前記灯具ブラケット−灯具間の回動可能な連結部は、各部材間に樹脂ワッシャーを介在させてボルト・ナットで締め付けた構造であることを特徴とする投光機。
【請求項２】
前記樹脂ワッシャーがポリオキシメチレン樹脂製であることを特徴とする請求項１に記載の投光機。
【請求項３】
前記ナットとしてプリベリングトルク形ナットを用いたことを特徴とする請求項１又は２に記載の投光機。
【請求項４】
前記灯具ブラケットは、二つの部材を連結して構成し、投光機の使用時には両部材を直線状に伸ばした状態で保持し、投光機の格納時には、両部材を折曲して保持できる構造にしたことを特徴とする請求項１，２又は３に記載の投光機。
【発明の詳細な説明】
【技術分野】
【０００１】
本発明は、台車に立設した支柱に照明装置が取り付けられ、夜間の屋外工事等に使用される投光機に関するものである。
【背景技術】
【０００２】
夜間、屋外での道路工事や建設工事等の照明装置として、エンジン駆動発電機を電源とした投光機が広く用いられている。投光機は、車輪により移動可能な台車の上にエンジン駆動発電機を搭載し、さらに、該台車に伸縮可能な支柱を立設し、該支柱の先端部に支持部材を介して複数の灯具を設けている。支持部材は、支柱の上端部に水平方向に回動可能に取り付けられており、その両端部に、水平方向及び垂直方向に回動可能となるように灯具が取り付けられている。
【０００３】
このような投光機では、例えば、特許文献１，２に示されるように、使用時には、灯具の照射角度を自由に調整できるようにするとともに、使用しない時は、台車を移動させて保管するために、支柱及び灯具を小さく畳めるようにしている。
【０００４】
例えば、特許文献１に示される投光機では、支柱の上端に、横アームの中心部を水平方向に回転可能な状態で取り付け、その両端に、横アームの長手方向軸線を中心に回転可能な状態でアーム継手を装着し、該アーム継手に、横アームの長手方向軸線に対して垂直の軸線を中心に回転可能な状態で縦アームを装着している。そして、縦アームの端部において、縦アームの長手方向軸線と直交する軸線を中心に回転可能な状態で、灯具を装着している。また、横アームとアーム継手、アーム継手と縦アーム、縦アームと灯具との間の回転部分は、レバーやネジにより、所望の角度で固定できるようにしている。
【０００５】
この投光機を格納する場合には、支柱を下降させ、横アーム，アーム継手，縦アーム及び灯具との間の回転部分を固定しているネジ及びレバ−を緩めて、横アームを正面位置に戻し、縦アームを垂直にした後、横ア−ムの長手方向軸線を中心にして縦ア−ムを９０°回転させて水平にするために、４つの灯具のそれぞれ上の２つの灯具を手前に、下の２つの灯具を後方に移動する。その後、各灯具を縦ア−ムの長手方向軸線を中心にして回動して垂直にし、それぞれの灯具のガラス面が互いに向き合うように内側に曲げる。
【０００６】
このようにすれば、灯具が支柱の縦軸線と使用時の灯具の中心との距離内に納まり、また灯具を平面から見て台車の縦横寸法内に納めることができるので場所をとらず、トラック等で搬送する際の搬送効率や、保管する際の保管効率がよくなる。また、不使用時や格納時に灯具が人や物にぶつかりランプが破損したりする可能性が少なくなる。さらに、各灯具は、縦アーム，アーム継手及び横アームを介して、支柱との間が、３次元的に移動可能な状態で接続されているので、照射角の調節が自由にできるようになる。
【先行技術文献】
【特許文献】
【０００７】
【特許文献１】特開平１１−７８２７号公報
【特許文献２】特開２００５−１５８３１６号公報
【発明の概要】
【発明が解決しようとする課題】
【０００８】
ところで、この種の投光機は、工事現場で使用する際に、１台で複数箇所を照明したり、歩行者や車両運転者に対して眩しくならないようにしたり、近隣住民のプライバシー保護の配慮したりするため、照射角度を何度も調整する必要が生じるが、上記従来の投光機では、灯具の位置や角度を変える際に、いちいちネジやレバーを緩め、閉めるという操作が必要となり非常に手間がかかるという問題点があった。また、格納時に各灯具を折り畳んだ際に、灯具間の幅が、横アームの長さで制限されるため、運搬や保管時に、灯具の縁部が外側に突き出てしまうという問題点もあった。
【０００９】
本発明は、そのような問題点に鑑み、灯具の位置や角度を変える際の操作を簡単にするとともに、格納時に各灯具を折り畳んだ際に、外側に突き出る部分を極力小さくすることを目的とするものである。
【課題を解決するための手段】
【００１０】
前記課題を解決するため、本願の請求項１にかかる発明は、台車と、前記台車に搭載されている発電装置と、前記台車に伸縮自在に立設されている支柱と、前記支柱の上端部に取り付けられていて、前記発電装置より電力を受けて照明を行う照明装置とを備えた投光機であって、前記照明装置は、前記支柱の上端部において、中間部が水平方向に回動可能に取り付けられているライト架台と、前記ライト架台の両端部に、ライト架台に対して直交するように、その中間部がライト架台の軸線を中心にして回動可能に取り付けられている灯具ブラケットと、前記各灯具ブラケットの両端部に、水平・垂直両方向に回動可能となるように取り付けられている灯具とを備え、前記灯具ブラケット−灯具間の回動可能な連結部は、各部材間に樹脂ワッシャーを介在させてボルト・ナットで締め付けた構造であることを特徴とする。
【００１１】
また、本願の請求項２にかかる発明は、請求項１にかかる発明において、前記樹脂ワッシャーがポリオキシメチレン樹脂製であることを特徴とする。
【００１２】
また、本願の請求項３にかかる発明は、請求項１又は２にかかる発明において、前記ナットとしてプリベリングトルク形ナット（以下、「戻り止めナット」という）を用いたことを特徴とする。
【００１３】
また、本願の請求項４にかかる発明は、請求項１，２又は３にかかる発明において、前記灯具ブラケットは、二つの部材を連結して構成し、投光機の使用時には両部材を直線状に伸ばした状態で保持し、投光機の格納時には、両部材を折曲して保持できる構造にしたことを特徴とする。
【発明の効果】
【００１４】
本発明は、次のような効果を奏する。
すなわち、請求項１にかかる発明においては、ライト架台の両端部に、ライト架台に対して直交するように、その中間部がライト架台の軸線を中心にして回動可能に灯具ブラケットを取り付け、該各灯具ブラケットの両端部に、水平・垂直両方向に回動可能となるように灯具を取り付けるとともに、灯具ブラケット−灯具間の回動可能な連結部は、各部材間に樹脂ワッシャーを介在させてボルト・ナットで締め付けた構造にしたので、連結部は、対向部材同士が適度な摩擦力で保持されるようになって、ネジやレバ−の操作をすることなく、灯具の位置や角度を簡単に調整し、その位置に保持させることができる。
【００１５】
また、請求項２にかかる発明においては、請求項１にかかる投光機において、樹脂ワッシャーを耐摩耗性，耐衝撃性，高い弾性率等、優れた機械的特性を有するポリオキシメチレン樹脂製にしたので、角度調整を繰り返し行っても、適度な摩擦力を維持できる。
【００１６】
また、請求項３にかかる発明においては、請求項１又は２にかかる投光機において、前記ナットとしてそれ自体で緩み止め機能を有する戻り止めナットを用いたので、角度調整を繰り返し行っても、連結部が緩んで、角度調整に支障をきたすようなことはない。
【００１７】
また、請求項４にかかる発明においては、請求項１，２又は３にかかる投光機において、前記灯具ブラケットは、二つの部材を連結して構成し、投光機の使用時には両部材を直線状に伸ばした状態で保持し、投光機の格納時には、両部材を折曲して保持できる構造にしたので、格納時に各灯具を折り畳んだ際に、外側に突き出る部分を極力小さくすることができる。
【図面の簡単な説明】
【００１８】
【図１】本発明の一実施例に係る投光機を示す図である。
【図２】本発明の一実施例に係る投光機の照明装置を拡大して示す図である。
【図３】照明装置のブラケット連結部締付構造を示す図である。
【図４】灯具の旋回及びふ仰を示す図である。
【図５】ライト架台の旋回及び灯具ブラケットのふ仰を示す図である。
【図６】灯具ブラケットの主要部材を示す図である。
【図７】灯具ブラケットの基本構造を示す図である。
【図８】灯具ブラケットの折曲動作を示す図である。
【図９】折曲時の灯具ブラケットを示す図である。
【図１０】ライト架台と灯具ブラケットとの連結部を示す図である。
【発明を実施するための形態】
【００１９】
以下、本発明の実施例を図面に基づいて詳細に説明する。
【実施例１】
【００２０】
図１は、   本発明の一実施例に係る投光機を示す図であり、図１（Ａ）は正面図、図１（Ｂ）は側面図である。図１において、１は照明装置、２は支柱、３は昇降ハンドル、４は台車、５は車輪、６はエンジン発電機、７はケーブル、８は移動用ハンドル、９は安定具、１０はライト架台、１１は灯具ブラケットである。
【００２１】
支柱２が台車４に立設されており、その上端部には照明装置１が取り付けられている。支柱２は、昇降ハンドル３を手で回すことにより伸縮自在になっている。照明装置１は、台車４に搭載されているエンジン発電機６より電力を受けて照明を行う。台車４は、車輪５により移動可能になっており、人が台車４の後端に設けられている移動用ハンドル８を握り、押して移動させる。安定具９は、投光機を使用する際に、図示するように後方に倒すことにより、支柱２を上方に延ばして不安定になっても、台車４が転倒したりしないように安定化させる。
【００２２】
照明装置１は、支柱２の上端で、水平方向に回動可能に取り付けられたライト架台１０と、そのライト架台１０の両端に、ライト架台１０の軸線と直角方向に回動可能に取り付けられた灯具ブラケット１１，１１とを備えている。そして、各灯具ブラケット１１，１１の両端部には、灯具ブラケット１１の軸線に対して、水平方向，垂直方向ともに回動可能に灯具１２，１２，１２，１２が取り付けられている。
【００２３】
図２は、本発明の一実施例に係る投光機の照明装置を拡大して示す図である。図１と同じ符号は同一のものを示しており、１３はランプ、１４角度調整ジョイントは、１５は灯具取付ブラケット、１６はブラケット連結部、１７は灯具ブラケット取付ボルトである。
【００２４】
ライト架台１０は、支柱２の上端で、水平方向に回動可能に取り付けられており、ライト架台１０の両端面には、灯具ブラケット１１が、灯具ブラケット取付ボルト１７によって回動可能に取り付けられている。そして、その灯具ブラケット１１の両端面には、角度調整ジョイント１４がブラケット連結部１６によって回動可能に取り付けられており、さらに、角度調整ジョイント１４の端面に対して直角の面には、灯具取付ブラケット１５がブラケット連結部１６によって回動可能に取り付けられており、灯具取付ブラケット１５の連結面と直角な端面に、ランプ１３を有する灯具１２が固定されている。
【００２５】
このように、灯具ブラケット１１と角度調整ジョイント１４及び角度調整ジョイント１４と灯具取付ブラケット１５は、ブラケット連結部１６によって連結されているが、ブラケット連結部１６は、図３に示すような構造になっている。図３は、角度調整ジョイント１４と灯具取付ブラケット１５の連結箇所を示しているが、灯具ブラケット１１と角度調整ジョイント１４との連結箇所も同様な構造をしている。
【００２６】
図３において、１６ａはボルト、１６ｂ，１６ｅは平座金、１６ｃ，１６ｄは樹脂ワッシャー、１６ｆは波形座金、１６ｇは戻り止めナットである。樹脂ワッシャー１６ｃ，１６ｄは、例えば、耐摩耗性，耐衝撃性，高い弾性率等、優れた機械的特性を有し、ジュラコンの商品名で知られているポリオキシメチレン樹脂を用いて形成されている。そのような樹脂ワッシャー１６ｃ，１６ｄを各部材の間に介在させるようにしたため、ボルト１６ａ，戻り止めナット１６ｇにより適度な力で締め付ければ、照明装置１各部のブラケット連結部は、対向部材同士が適度な摩擦力で保持され、ネジやレバ−の操作をすることなく、各部の角度を調整し、その位置に保持させることができる。しかも、角度調整を繰り返し行っても、その効果を維持できる。
【００２７】
また、締め付けるためのナットとして、それ自体で緩み止め機能を有する戻り止めナット１６ｇを用いたため、角度調整を繰り返し行っても、ブラケット連結部１６が緩んで、角度調整に支障をきたすようなことはない。
【００２８】
図４は、灯具の旋回及びふ仰を示す図であり、図４（Ａ）は灯具の旋回を上側から見た図、図４（Ｂ）は灯具のふ仰を横側から見た図である。灯具ブラケット１１と角度調整ジョイント１４とのブラケット連結部を回動させることにより、図４（Ａ）に示すように、灯具１２は、正面位置を中心にして左右に９０°の角度旋回できる。また、角度調整ジョイント１４と灯具取付ブラケット１５とのブラケット連結部を回動させることにより、図４（Ｂ）に示すように、灯具１２は、水平位置を中心にして上下に９０°の角度ふ仰できる。
【００２９】
図５は、ライト架台の旋回及び灯具ブラケットのふ仰を示す図であり、図５（Ａ）はライト架台の旋回を上側から見た図、図５（Ｂ）は灯具ブラケットのふ仰を横側から見た図である。ライト架台１０は、支柱２に対して水平方向に回動可能に取り付けられているが、ケーブル７の保護のため、所定角度以上は旋回しないようにストッパ（図示せず）を設け、図５（Ａ）に示すように、左右約１７０°の範囲で旋回できるようにしている。また、ライト架台１０の旋回の固定・解除は、ライト架台固定レバー１８で行う。
【００３０】
一方、灯具ブラケット１１は、ライト架台１０の両端に回動可能に取り付けられているが、回動は円弧状の溝により制限され、図５（Ｂ）に示すように、水平方向照射位置から下向き位置までの間で９０°だけふ仰できるようにしている。また、灯具ブラケット１１のふ仰の固定・解除は、灯具ブラケット固定レバー１９で行う。
【００３１】
本発明の投光機はこのような構造にした結果、簡単な操作で各灯具１２をそれぞれ個別に旋回・ふ仰できて、さまざまな方向に灯具１２を向けることができ、１台で複数箇所を照明したり、歩行者や車両運転者に対して眩しくならないようにしたり、近隣住民のプライバシー保護の配慮したりするため、照射角度を適宜調整することができる。さらに、２灯−４灯の切換スイッチを設けて、照明の明るさ及び照射範囲を調整できるようにすれば、歩行者，車両運転者，近隣住民等に対して、より細かい配慮が可能になる。
【００３２】
次に、灯具ブラケット１１について説明する。図６は、灯具ブラケットの主要部材を示す図であり、図６（Ａ）は正面図と平面図で示す灯具ブラケット第１部材、図６（Ｂ）は同じく灯具ブラケット第２部材である。これら灯具ブラケット第１部材，灯具ブラケット第２部材は、図７に正面図と平面図で示すように、組み合わせて用いる。
【００３３】
灯具ブラケット第１部材，灯具ブラケット第２部材は、金属板を加工成形したもので、それぞれ、互いに直角に折り曲げて形成した縦板部１１ａ−１，１１ｂ−１、天板部１１ａ−２，１１ｂ−２、端面部１１ａ−３，１１ｂ−３よりなる。縦板部１１ａ−１，１１ｂ−１には、それぞれ対応する位置にボルト孔１１ａ−４，１１ｂ−４と円弧状孔１１ａ−５，１１ｂ−５が設けられ、天板部１１ａ−２，１１ｂ−２には、それぞれ対応する位置にボルト孔１１ａ−６と切欠部１１ｂ−６が設けられている。また、端面部１１ａ−３，１１ｂ−３には、角度調整ジョイント１４と連結するためのボルト１６ａを通すためのボルト孔（図示せず）が設けられている。
【００３４】
このような灯具ブラケット第１部材１１ａと灯具ブラケット第２部材１１ｂとを、図７に示すように、両縦板部１１ａ−１，１１ｂ−１と両天板部１１ａ−２，１１ｂ−２とが重なるようにした状態で、ボルト孔１１ａ−４，１１ｂ−４に、ボルト１６ａを通して、ライト架台１０の端面に回動可能に取り付ける。そして、ボルト孔１１ａ−６と、切欠部１１ｂ−６とに、後述するノブ付ボルトを通して締め付けることにより、灯具ブラケット第１部材１１ａと灯具ブラケット第２部材１１ｂとを直線状に保持させ、円弧状孔１１ａ−５，１１ｂ−５に、後述する灯具ブラケット固定レバーを通して締め付けることにより、灯具ブラケット１１の角度を固定する。
【００３５】
この灯具ブラケット１１は、投光機を使用する際には、図２に示すように、灯具ブラケット第１部材と灯具ブラケット第２部材とをノブ付ボルト２０で締め付けて、直線状に保持させて使用する。なお、ノブ付ボルト２０は、手で回しやすいようにボルトの頭部にノブを取り付けたものである。
【００３６】
一方、投光機を格納する際には、図８（Ａ）に示すように、ノブ付ボルト２０で灯具ブラケット１１を直線状に保持させたまま、灯具ブラケット固定レバー１９を緩めて水平位置まで回動させた後、灯具ブラケット固定レバー１９を再び締め付けて固定する。そして、各灯具１２，１２の光照射面が他方の灯具ブラケット１１に取り付けられた灯具の光照射面と対向するように灯具１２，１２を下方に倒す。その状態で、ノブ付ボルト２０と灯具ブラケット固定レバー１９とを緩めて、図８（Ｂ）に示すように、灯具ブラケット第１部材１１ａを下方に折り曲げる。そのようすることにより、灯具１２が外側に突き出る量をαだけ小さくして、その分、格納や搬送に必要なスペースを小さくすることができる。
【００３７】
なお、灯具ブラケット第１部材１１ａを下方に折り曲げたとき、図９に示すように、灯具ブラケット第１部材１１ａの天板部１１ａ−２の下面が、灯具ブラケット第２部材１１ｂの縦板部１１ｂ−１の角部Ｐに当接して、それ以上は折曲しなくなる。その後、灯具ブラケット固定レバー１９を締め付ければ、灯具ブラケット第１部材１１ａはがたつくことなく折曲状態が保持される。
【００３８】
図１０は、ライト架台と灯具ブラケットとの連結部を示す図である。灯具ブラケット第１部材１１ａと灯具ブラケット第２部材１１ｂの縦板部を重ね、灯具ブラケット取付ボルト１７により、座金１７ａ，樹脂ワッシャー１７ｂを介在させてライト架台１０の端板１０ａに取り付けられる。また、灯具ブラケット固定レバー１９は、バネ座金１９ａ，平座金１９ｂ，樹脂ワッシャー１９ｃ，１９ｄを介して、ライト架台の端板１０ａの内側に溶接されているナット１９ｅにより取り付けられる。
【００３９】
本発明の投光機は、このようにして灯具ブラケット１１を折曲可能にしたので、格納時に各灯具を折り畳んだ際に、灯具ブラケット１１を折曲させることにより、灯具１２が外側に突き出る部分を極力小さくすることができる。
【符号の説明】
【００４０】
１…照明装置
２…支柱
３…昇降ハンドル
４…台車
５…車輪
６…エンジン発電機
７…ケーブル
８…移動用ハンドル
９…安定具
１０…ライト架台
１１…灯具ブラケット
１２…灯具
１３…ランプ
１４…角度調整ジョイント
１５…灯具取付ブラケット
１６…ブラケット連結部
１７…灯具ブラケット取付ボルト
１８…ライト架台固定レバー
１９…灯具ブラケット固定レバー
２０…ノブ付ボルト
【図１】
2011081928.tif 000003
【図２】
2011081928.tif 000004
【図３】
2011081928.tif 000005
【図４】
2011081928.tif 000006
【図５】
2011081928.tif 000007
【図６】
2011081928.tif 000008
【図７】
2011081928.tif 000009
【図８】
2011081928.tif 000010
【図９】
2011081928.tif 000011
【図１０】
2011081928.tif 000012